(57)【特許請求の範囲】
【請求項１】
ベッドと、ベッドの周縁部の一部に固定されたベースと、前記ベースに対して着脱自在であるアタッチメントとを備える医療台であって、
前記アタッチメントは、前記ベースに対して着脱自在に保持固定するロック機構部を有し、
前記ロック機構部は、
前記ベース上に載置される保持部と、
前記保持部に対してロック軸を中心として回動自在に取り付けられ、所定の固定位置に回動されることにより前記保持部が前記ベースに保持された状態をロックするアンダーロックプレートと、
前記ロック軸に平行なレバー軸を中心として回動自在に前記保持部に取り付けられ、前記レバー軸を中心とする回動により、前記アンダーロックプレートを前記固定位置にロックするロック位置とこのロックを解除して前記アンダーロックプレートの回動を許容する所定の解除位置との間を変位自在とされたレバープレートと、を有し、
前記レバープレートを前記解除位置から前記ロック位置に向かう方向に付勢する付勢部材と、前記付勢部材によって付勢された前記レバープレートの変位を前記ロック位置で制止する変位規制部とがさらに備えられ、
前記ロック軸を中心とする前記アンダーロックプレートに対する接円であって前記アンダーロックプレートの回動による前記接円と前記アンダーロックプレートとの接点の軌跡をロック軌跡円とし、前記レバープレートの先端部が前記レバー軸を中心として回動することにより形成される軌跡をストッパ軌跡円とすると、前記ロック軌跡円と前記ストッパ軌跡円とは、これらが交わる交点を有するとともに、前記固定位置における前記接点と前記ロック位置における前記レバープレートの前記先端部との間に前記交点が位置するように、前記ロック軸と前記レバー軸とがずれて設けられており、
前記変位規制部によって前記ロック位置で制止された前記レバープレートの先端部に前記アンダーロックプレートが当接することによって前記固定位置から離間する方向の前記アンダーロックプレートの回動が制止されて前記固定位置に保持され、
前記ロック位置で前記レバープレートが前記付勢部材の付勢力に抗して回動されて前記先端部が前記交点を越えて前記ロック軌跡円の内部に入る位置に移動することにより、前記アンダーロックプレートの回動が自在となる
ことを特徴とする医療台。
【請求項２】
前記変位規制部は、前記保持部の端部から突出する突出壁により形成されていることを特徴とする請求項１に記載の医療台。
【請求項３】
前記保持部は、前記ベース上に載置されたときに前記ベースを挿入する溝が形成された位置決め部材を有することを特徴とする請求項１または２に記載の医療台。
【請求項４】
前記保持部は、
前記ベース上に載置されたときに前記ベースの両面に対向して配置される挟持用サイド
プレート部を有するとともに、前記狭持用サイドプレート部に突没自在に取り付けられて前記ベースの前記両面を押圧可能な押圧部材を有し、
前記アンダーロックプレートは、
前記固定位置に回動されることにより前記狭持用サイドプレート部の外側に嵌合して前記押圧部材を前記狭持用サイドプレート部から内方に突出させて前記ベースに押圧させる押圧用サイドプレート部を有する
ことを特徴とする請求項１から３のいずれか１項に記載の医療台。
【請求項５】
前記保持部に、前記押圧部材を離間させるように付勢するバネ部材が備えられていることを特徴とする請求項４に記載の医療台。
【請求項６】
前記アタッチメントに、
前記ベッドの側部に沿って延び、両端に前記ロック機構部が固定された支持バーと、
この支持バー回りに回動自在に設けられた本体部と、
この本体部を任意の回動位置で固定保持するクラッチ機構部と、
が備えられることを特徴とする請求項１から５のいずれか１項に記載の医療台。
【発明の詳細な説明】
【技術分野】
【０００１】
本発明は、産科・婦人科における医療行為に用いられる検診台、分娩台などの医療台に関する。
【背景技術】
【０００２】
従来、産科・婦人科において、分娩、診察、治療等の際に患者や妊産婦など対象者の体を支える医療台が用いられている。医療台は、対象者の胴体を支持する背板（背もたれ）、腰を支持する胴受（座面・腰板）、脚を支持する支脚器（踵受、股受）等を備え、これらの角度や位置を必要に応じて変更できる構成により、対象者の姿勢を安定して保つことを可能にしている。
【０００３】
特許文献１には、背もたれの両側に着脱自在に取り付けられるサイドフェンスを備える分娩台が開示されている。
【先行技術文献】
【特許文献】
【０００４】
【特許文献１】特開２０１１−１６１０７５号公報
【発明の概要】
【発明が解決しようとする課題】
【０００５】
医療台においては、患者の負担軽減や安全性の確保、処置の作業性の向上などのため、サイドフェンス、ベッドの補助台等を安全かつ確実に必要に応じて着脱自在である構造が求められている。
【０００６】
しかしながら、特許文献１においては、サイドフェンスが背もたれの両側に着脱自在であると記載されているが、着脱構造については開示されていない。この種の着脱構造の場合、容易に着脱できるとともに、取り付けたときには、これを確実に固定できる構造であることが求められる。
【０００７】
本発明は、このような事情に鑑みてなされたもので、ベッド側部に対してサイドフェンスなどのアタッチメントを容易に着脱可能とするとともに、取り付けられたアタッチメントを確実に固定できる医療台を提供することを目的とする。
【課題を解決するための手段】
【０００８】
本発明は、ベッドと、ベッドの周縁部の一部に固定されたベースと、前記ベースに対して着脱自在であるアタッチメントとを備える医療台であって、
前記アタッチメントは、前記ベースに対して着脱自在に保持固定するロック機構部を有し、
前記ロック機構部は、
前記ベース上に載置される保持部と、
前記保持部に対してロック軸を中心として回動自在に取り付けられ、所定の固定位置に回動されることにより前記保持部が前記ベースに保持された状態をロックするアンダーロックプレートと、
前記ロック軸に平行なレバー軸を中心として回動自在に前記保持部に取り付けられ、前記レバー軸を中心とする回動により、前記アンダーロックプレートを前記固定位置にロックするロック位置とこのロックを解除して前記アンダーロックプレートの回動を許容する所定の解除位置との間を変位自在とされたレバープレートと、を有し、
前記レバープレートを前記解除位置から前記ロック位置に向かう方向に付勢する付勢部材と、前記付勢部材によって付勢された前記レバープレートの変位を前記ロック位置で制止する変位規制部とがさらに備えられ、
前記ロック軸を中心とする前記アンダーロックプレートに対する接円であって前記アンダーロックプレートの回動による前記接円と前記アンダーロックプレートとの接点の軌跡をロック軌跡円とし、前記レバープレートの先端部が前記レバー軸を中心として回動することにより形成される軌跡をストッパ軌跡円とすると、前記ロック軌跡円と前記ストッパ軌跡円とは、これらが交わる交点を有するとともに、前記固定位置における前記接点と前記ロック位置における前記レバープレートの前記先端部との間に前記交点が位置するように、前記ロック軸と前記レバー軸とがずれて設けられており、
前記変位規制部によって前記ロック位置で制止された前記レバープレートの先端部に前記アンダーロックプレートが当接することによって前記固定位置から離間する方向の前記アンダーロックプレートの回動が制止されて前記固定位置に保持され、
前記ロック位置で前記レバープレートが前記付勢部材の付勢力に抗して回動されて前記先端部が前記交点を越えて前記ロック軌跡円の内部に入る位置に移動することにより、前記アンダーロックプレートの回動が自在となる。
【０００９】
この医療台によれば、保持部をベッドのベースに載置し、アンダーロックプレートを固定位置まで回動させ、レバープレートをロック位置に変位させることにより、アンダーロックプレートの回動がロックされ、アタッチメントがベッドのベースに確実に固定される。この状態においてはレバープレートを解除位置に戻すように変位させない限り、アタッチメントがベースから外れることがない。そして、レバープレートを解除位置に変位させるだけでアンダーロックプレートのロック状態を解除でき、アタッチメントをベッドから容易に取り外すことができる。
【００１２】
また、この医療台において、前記ロック軸を中心とする前記アンダーロックプレートに対する接円であって前記アンダーロックプレートの回動による前記接円と前記アンダーロックプレートとの接点の軌跡をロック軌跡円とし、前記レバープレートの先端部が前記レバー軸を中心として回動することにより形成される軌跡をストッパ軌跡円とすると、前記ロック軌跡円と前記ストッパ軌跡円とは、これらが交わる交点を有するとともに、前記固定位置における前記接点と前記ロック位置における前記レバープレートの前記先端部との間に前記交点が位置するように、前記ロック軸と前記レバー軸とがずれて設けられており、前記ロック位置で前記レバープレートが前記付勢部材の付勢力に抗して回動されて前記先端部が前記交点を越えて前記ロック軌跡円の内部に入る位置に移動することにより、前記アンダーロックプレートの回動が自在となる。
【００１３】
この医療台において、前記変位規制部は、前記保持部の端部から突出する突出壁により形成されていることが望ましい。この場合、レバープレートの回動が突出壁によって制止されると同時に、アンダーロックプレートの回動は突出壁がレバープレートに当接することにより制止されるので、レバープレートとアンダーロックプレートとが互いの回動を制止する作用により、より確実にロック状態を維持することができる。また、変位規制部を保持部などに別部材として設けずにすむので、構造を簡素化できる。
【００１４】
この医療台において、前記保持部は、前記ベース上に載置されたときに前記ベースを挿入する溝が形成された位置決め部材を有するとよい。ベースを位置決め部材の溝に挿入した状態で保持部をベースに載置することにより、アタッチメントをベースに位置決めして固定することができる。
【００１５】
この医療台において、前記保持部は、前記ベース上に載置されたときに前記ベースの両面に対向して配置される挟持用サイドプレート部を有するとともに、前記狭持用サイドプレート部に突没自在に取り付けられて前記ベースの前記両面を押圧可能な押圧部材を有し、前記アンダーロックプレートは、前記固定位置に回動されることにより前記狭持用サイドプレート部の外側に嵌合して前記押圧部材を前記狭持用サイドプレート部から内方に突出させて前記ベースに押圧させる押圧用サイドプレート部を有することが望ましい。
【００１６】
ロック機構部をこのように構成することにより、アンダーロックプレートを固定位置まで回動させることによって、保持部をベースに保持された状態にロックするとともに、アンダーロックプレートと保持部との嵌合によって押圧部材をベースに押圧させてベースを狭持することができ、より確実にアタッチメントをベースに固定することができる。
【００１７】
この医療台において、前記保持部に、前記押圧部材を離間させるように付勢するバネ部材が備えられていることが望ましい。この場合、ロック機構部によるロック状態が解除された際には押圧部材がベースの両面から離間するので、アタッチメントの着脱が容易である。
【００１８】
この医療台において、前記アタッチメントに、前記ベッドの側部に沿って延び、両端に前記ロック機構部が固定された支持バーと、この支持バー回りに回動自在に設けられた本体部と、この本体部を任意の回動位置で固定保持するクラッチ機構部と、が備えられることが望ましい。この場合、本体部の用途や使用状況に応じて角度を変更することができる。
【発明の効果】
【００１９】
本発明の医療台によれば、ベッド側部に対してサイドフェンスなどのアタッチメントを容易に着脱可能であり、取り付けられたアタッチメントを確実に固定できる。
【図面の簡単な説明】
【００２０】
【図１】本発明の実施形態に係る医療台において、アタッチメントがベッドに装着された状態を示す斜視図である。
【図２】図１に示す医療台において、アタッチメントがベッドから取り外された状態を示す斜視図である。
【図３】図１に示す医療台において、アタッチメントの本体部の角度を変更した状態を示す斜視図である。
【図４】図２に示すアタッチメントがベッドから取り外された状態の医療台において、ロック機構部の要部を示すベッド長手方向に沿う縦断面図である。
【図５】図１に示すアタッチメントがベッドに装着された状態の医療台において、ロック機構部の要部を示すベッド長手方向に沿う縦断面図である。
【図６】アタッチメントがベッドに装着された状態のロック機構部の要部を示す、図５のＡ−Ａ線に沿う横断面図である。
【図７】ロック状態が解除されたロック機構部の要部を拡大して示す、図５のＡ−Ａ線に沿う横断面図である。
【図８】ロック状態のロック機構部の要部を拡大して示す、図５のＡ−Ａ線に沿う横断面図である。
【図９】図５のＢ−Ｂ線に沿う横断面図である。
【図１０】回動ロック状態のロック機構部の要部を示す、図６のＣ−Ｃ線に沿う縦断面図である。
【図１１】レバープレートが固定位置から解除位置まで回動し、回動ロック状態が解除された状態のロック機構部の要部を示す、図６のＣ−Ｃ線に沿う縦断面図である。
【図１２】回動ロック状態が解除され、アンダーロックプレートが固定位置から回動された状態のロック機構部の要部を示す、図６のＣ−Ｃ線に沿う縦断面図である。
【図１３】アンダーロックプレートによる押圧が解除され、ベースからアタッチメントを取り外すことが可能な状態のロック機構部の要部を示す、図６のＣ−Ｃ線に沿う縦断面図である。
【図１４】ロック機構部による回動ロック状態が解除され、レバープレートが操作されていない状態のロック機構部の要部を示す、図６のＣ−Ｃ線に沿う縦断面図である。
【発明を実施するための形態】
【００２１】
以下、本発明の実施形態に係る医療台１０について、図面を参照して説明する。図１〜図３に示すように、医療台１０は、ベッド１２と、ベッド１２の側部に固定されたベース２１を有する支持部２０と、支持部２０のベース２１に対して着脱自在であるアタッチメント３０とを備える。アタッチメント３０は、フェンス、テーブル等（本実施形態ではフェンス）の機能部４０と、この機能部４０をベース２１に対して着脱自在に保持固定するロック機構部５０とを有する。図２に示すように、支持部２０のベース２１は、ベッド１２の長手方向（前後方向）に沿って延びるレール状に形成されており、ベッド１２の側部から突出する支持棒部２２により固定されている。
【００２２】
この医療台１０によれば、図４および図５に示すようにアタッチメント３０をベッド１２の支持部２０に取り付け、ロック機構部５０をロックさせるだけの容易な操作により、アタッチメント３０が支持部２０に対して固定される。そして、ロック機構部５０のロック状態を解除する操作を行わない限り、アタッチメント３０がベッド１２から外れることがない。
【００２３】
この医療台１０において、アタッチメント３０を構成する機能部４０には、図１〜図３に示すように、ベッド１２の側部に沿って延び、両端にロック機構部５０が固定された支持バー４２と、この支持バー４２の回りに回動自在に設けられた本体部４４と、この本体部４４を任意の回動位置で固定保持するクラッチ機構部４６とが備えられている。クラッチ機構部４６は、支持バー４２の長手方向に対向して互いに係合する歯面を有し、この歯面の係合を解除した状態で本体部４４をベッド１２の上面に対して任意の角度に回動させ、その状態で歯面同士を係合させることにより、本体部４４を任意の角度で固定することができる。
【００２４】
本実施形態では、本体部４４はベッド１２の側部に立設されるフェンスであるが、図３に示すようにベッド１２の上面と同一面をなすように回動させた角度で保持することにより、補助台として使用することも可能である。また、本体部４４が支持バー４２の下方に向かうように、図１に示す状態から１８０°回動させて保持させることにより、アタッチメント３０をベッド１２から取り外さずにベッド１２の側部を開放させることもできる（図示略）。なお、支持バー４２の上にはマット４２ａが設けられる。
【００２５】
また、本実施形態ではベッド１２の両側部にそれぞれフェンスとしての機能部４０を有するアタッチメント３０が取り付けられる構成としたが、機能部４０の形状、用途については種々の変形が可能である。例えば、機能部４０とベッド１２とが略同一平面を形成するように、機能部４０をベッド１２の側方に倒すことにより、点滴等の際に患者の腕を置く上肢台として機能部４０を使用することもできる。また、ベッド１２の左右に設置される支持部２０に着脱可能に設けられる保持部６０に、テーブルの脚部を取り付けるとともに、これら左右の脚部をベッド１２を跨ぐようにして連結する天板を取り付けることにより、左右の脚部と天板とで構成されるテーブルをアタッチメントの機能部（本体部）として構成することもできる。
【００２６】
ロック機構部５０は、図４〜図５に示すように、ベース２１を保持する保持部６０と、ベース２１を保持した状態に保持部６０を固定するアンダーロックプレート７０と、保持部６０を固定した状態にアンダーロックプレート７０をロックするために後述するように回動可能なレバープレート８０と、レバープレート８０を回動付勢する付勢部材８４と、付勢されたレバープレート８０の回動範囲を規制する回動規制部（本発明における変位規制部）９０とを備える。ロック機構部５０は、ベース２１の両端部に対応して、アタッチメント３０の両端にそれぞれ設けられている。
【００２７】
より詳細には、ロック機構部５０は、図６〜図１４に示すように、ベース２１上に載置される保持部６０と：保持部６０に対してロック軸７２を中心として回動自在に取り付けられ、所定の固定位置（図１０に示す位置）に回動されることにより図６，８に示すように保持部６０がベース２１に保持された状態をロックするアンダーロックプレート７０と：ロック軸７２に平行なレバー軸８２を中心として、略鉛直状態でアンダーロックプレート７０を前記固定位置にロックするロック位置（図１０に示す位置）と、このロックを解除してアンダーロックプレート７０の回動を許容する所定の解除位置（図１１〜図１３に示す位置）との間を回動自在に保持部６０に取り付けられたストッパ部８０ａと；ストッパ部８０ａの回動操作を行うためのレバー部８０ｂと；を有するレバープレート８０と：レバープレート８０を前記解除位置から前記ロック位置に向かう方向に回動付勢する付勢部材８４と：付勢されたレバープレート８０の回動を前記ロック位置で制止する回動規制部９０と：を有する。
【００２８】
保持部６０は、図８又は図１０に示すように、ベース２１上に載置されるトッププレート部６２ａ、このトッププレート部６２ａの両側に固定されてベース２１の両面に対向して配置される狭持用サイドプレート部６２ｂ、および支持バー４２の先端に固定された端部プレート６２ｃを有するフレーム部材６２と、狭持用サイドプレート部６２ｂに突没自在に取り付けられてベース２１の両面を押圧可能な押圧部材６４とを有する。
【００２９】
トッププレート６２ａおよび挟持用サイドプレート６２ｂは、図１０〜図１４に示すように、その一端が端部プレート６２ｃの表面に固定されている。そして、保持部６０がベース２１上に載置されたときに、ベース２１の先端が端部プレート６２ｃに当接することにより、アタッチメント３０が、ベース２１に対して前後方向に位置決めがなされるようになっている。
【００３０】
また、トッププレート６２ａおよび挟持用サイドプレート６２ｂの他端には、図４及び図９に示すように位置決め部材６５が固定されている。この位置決め部材６５は、図１０〜図１４に示すように板状に形成され、端部プレート６２ｃと平行に設けられており、保持部６０がベース２１に載置されたときに、ベース２１を挿入する溝６５ａが形成され、ベース２１を溝６５ａ内に挿入することにより、ベース２１に対して幅方向（左右方向、ベース２１の厚み方向）の位置決めがなされるようになっている。
【００３１】
ロック軸７２およびレバー軸８２は、狭持用サイドプレート部６２ｂを貫通する方向の軸線を有し、端部プレート６２ｃの表面（トッププレート６２ａおよび挟持用サイドプレート６２ｂとは反対側の表面）から突出して設けられているブラケット６７に、支持されている。
【００３２】
アンダーロックプレート７０は、ロック軸７２を中心として回動自在に狭持用サイドプレート部６２ｂに取り付けられ、前記固定位置に回動されることにより狭持用サイドプレート部６２ｂの外面に嵌合して押圧部材６４を狭持用サイドプレート部６２ｂから内方に突出させてベース２１に押圧させる押圧用サイドプレート部７０ａと；この押圧用サイドプレート部７０ａが両側に固定され、前記固定位置に回動されて略水平状態となることによりフレーム部材６２の下部６２ｄを閉鎖するアンダープレート部７０ｂと；を有する。なお、アンダーロックプレート７０のアンダープレート部７０ｂの先端には、アンダープレート部７０ｂとレバープレート８０の先端部８０ｃとの間の隙間を隠すように立ち上げ壁７０ｄが形成される。
【００３３】
レバープレート８０は、アンダーロックプレート７０の両押圧用サイドプレート部７０ａの間に配置されている。そして、本実施形態の医療台１０におけるロック機構部５０では、レバープレート８０の回動をロック位置で制止する回動規制部９０は、端部プレート６２ｃの表面のブラケット６７において端部プレート６２ｃから略垂直に突出する突出壁９０により形成されている。
【００３４】
保持部６０には、図５〜図８に示すように、押圧部材６４を離間させるように付勢するバネ部材６６が備えられている。
【００３５】
このロック機構部５０において、ロック軸７２を中心とするアンダープレート部７０ｂの内面７０ｃでの接円であってアンダープレート部７０ｂの回動による内面７０ｃの軌跡が形成するロック軌跡円Ｌ１と、ストッパ部８０ａの先端部８０ｃがレバー軸８２を中心として回動することにより形成されるストッパ軌跡円Ｌ２とが交点Ｐ１，Ｐ２にて交わるとともに、前記固定位置におけるアンダープレート部７０ｂの内面７０ｃとロック軌跡円Ｌ１との接点Ｐ３と前記ロック位置におけるストッパ部８０ａの先端部８０ｃとの間にロック軌跡円Ｌ１とストッパ軌跡円Ｌ２との交点Ｐ１が位置するように、ロック軸７２とレバー軸８２とが平行かつずれて設けられている。
【００３６】
このロック機構部５０において、アンダーロックプレート７０が固定位置に回動され、レバープレート８０が付勢部材８４の付勢によりロック位置に回動されると、アンダーロックプレート７０とレバープレート８０とが互いに回動を制止する回動ロック状態（図１０に示す状態）となる。すなわち、この回動ロック状態においては、ストッパ部８０ａは、付勢部材８４により回動規制部（突出壁）９０に押圧されることによって前記ロック位置に保持され、アンダープレート部７０ｂは、フレーム部材６２の下部６２ｄから離間する方向（図１０において時計回り）に回動しようとすると前記ロック位置にあるストッパ部８０ａの先端部８０ｃに内面７０ｃが当接するので前記固定位置に保持される。
【００３７】
この回動ロック状態が解除される際は、図１１に示すように、レバープレート８０が付勢部材８４の付勢力に抗して回動されてストッパ部８０ａの先端部８０ｃが交点Ｐ１を越えてロック軌跡円Ｌ１の内部に入る位置に移動することにより、アンダープレート部７０ｂの回動が自在となる（図１１〜図１３）。
【００３８】
回動ロック状態の解除について、図７〜図１４を参照して説明する。まず、図１０に示す回動ロック状態では、アンダーロックプレート７０が固定位置、レバープレート８０がロック位置に保持されている。このとき、アンダーロックプレート７０は、レバープレート８０によって時計回りの回動が制止されているとともに、反時計回りの回動はフレーム部材６２やベース２１によって制止されている。そして、図８に示すようにアンダーロックプレート７０の押圧用サイドプレート部７０ａが保持部６０の狭持用サイドプレート部６２ｂの外面に嵌合していることにより、押圧部材６４が狭持用サイドプレート部６２ｂから内方に突出し、ベース２１の表面に押圧され、ベース２１を把持している。
【００３９】
この回動ロック状態から、図１１に示すように、付勢部材８４の付勢力に抗してレバー部８０ｂを押すことにより、レバー軸８２を中心として図中反時計回りにレバープレート８０を回動させる。
【００４０】
図１１に示す解除位置、すなわちストッパ軌跡円Ｌ２に沿って移動する先端部８０ｃが交点Ｐ１を越えてロック軌跡円Ｌ１の内側となる部分（交点Ｐ１と交点Ｐ２との間）に移動するまでレバープレート８０が回動されると、先端部８０ｃが内面７０ｃから離間することにより回動ロック状態が解除され、アンダーロックプレート７０が固定位置から図中時計回りに回動可能となる（図１２）。そして、図１２に示すように、レバープレート８０の先端部８０ｃが交点Ｐ１よりも図中の右側にある状態で、アンダーロックプレート７０を図中の時計回りに回動して、図１３に示すように交点Ｐ１よりも接点Ｐ３が図中の左側にある状態とする。この状態においてレバー部８０ｂの操作をやめると、図１４に示すように付勢手段８４の付勢力によってレバープレート８０が図中の時計回り（図中左方向）に押されて回動する。この際、レバープレート８０の先端部８０ｃがアンダーロックプレート７０のアンダープレート部７０ｂの内面７０ｃに当接するが、アンダープレート部７０ｂの内面７０ｃとロック軌跡円Ｌ１との接点Ｐ３が交点Ｐ１よりも図中の左側にある状態では、アンダーロックプレート７０の回動が制限されることがないので、アンダーロックプレート７０を続けて時計回りに回動することができる。このように、レバー部８０ｂの操作は、回動ロック状態が解除されるまで、すなわち、レバープレート８０の先端部８０ｃが交点Ｐ１よりも図中の右側にある状態で、アンダーロックプレート７０を、その内面７０ｃの接点Ｐ３が交点Ｐ１とえいも図中の左側となる位置まで回動させた状態とするまででよく、その後はレバープレート８０の操作は不要となる。
【００４１】
そして、図１３に示す位置までアンダーロックプレート７０が回動されると、図７に示すように押圧用サイドプレート部７０ａが保持部６０の狭持用サイドプレート部６２ｂの外面から外れるとともにベース２１の両面に対する押圧部材６４の押圧も解除される。なお、対で設けられる押圧部材６４は、バネ部材６６により互いに離間するようにして外方に付勢される。
【００４２】
また、図１４に示す位置までアンダーロックプレート７０が回動されると、アンダープレート部７０ｂによって閉鎖されていたフレーム部材６２の下部６２ｄを開放した状態となる。これにより、アタッチメント３０を上方に持ち上げるだけで、図２に示すようにベース２１からフレーム部材６２を取り外し、アタッチメント３０をベッド１２から取り外すことができる。
【００４３】
なお、図１３に示す状態から図１４に示すようにレバープレート８０の回動操作をやめた状態では、レバープレート８０の先端部８０ｃがアンダーロックプレート７０のアンダープレート部７０ｂの内面７０ｃに当接し、レバープレート８０を回動付勢している付勢部材８４によってアンダーロックプレート７０に時計回りの回動付勢力が作用する。このとき、付勢部材８４はアンダーロックプレート７０を時計回りに回動させるほどの付勢力はないが、アンダーロックプレート７０が反時計回りに回動しようとすることを制止する。そして、アンダーロックプレート７０は、この付勢力及び自身の重量等により、図４に示すようにアンダープレート部７０ｂの下端間がベース２１の長さよりも広い間隔に保持される。
【００４４】
アタッチメント３０をベッド１２に装着する際には、図４および図１４に示すように両端のロック機構部５０のロック状態を解除しておき、両端部プレート６２ｃの間および両位置決め部材６５の溝６５ａ内にベース２１が収まるように、支持部２０の上方からフレーム部材６２の下部６２ｄを下方に向けてアタッチメント３０を取り付け、フレーム部材６２のトッププレート部６２ａをベース２１上に載置する。この状態では、アタッチメント３０は、両端部プレート６２ｃの間にベース２１が配置されることにより、ベース２１の長さ方向に対する位置決めがされ、また、位置決め部材６５の溝６５ａ内にベース２１が挿入されることにより、ベース２１の幅方向に対する位置決めがなされる。そして、アンダーロックプレート７０のアンダープレート部７０ｂを上方に持ち上げるように回動させる。
【００４５】
この状態でアンダーロックプレート７０を図１４中の反時計回りに回動させることにより、レバープレート８０は、アンダープレート部７０ｂの内面７０ｃによって押圧され、付勢部材８４の付勢力に抗して反時計回りに回動される。さらに、図１１に示すようにアンダーロックプレート７０の内面７０ｃが、ストッパ軌跡円Ｌ２の外側になる位置までアンダープレート部７０ｂが回動されると、レバープレート８０の先端部８０ｃは内面７０ｃから離間し、ストッパ部８０ａがブラケット６７の突出壁９０に当接するまで付勢部材８４の付勢力によって回動される。そして、突出壁９０にストッパ部８０ａが当接することにより、図５および図１０に示すように、アンダーロックプレート７０とレバープレート８０とが互いに回動を規制する回動ロック状態となる。
【００４６】
以上説明したように、本発明の実施形態に係る医療台１０によれば、ベッド１２側部に対してサイドフェンスなどのアタッチメント３０を容易に着脱可能とするとともに、取り付けられたアタッチメント３０を確実に固定できる。
【００４７】
なお、本発明は前記実施形態の構成のものに限定されるものではなく、細部構成においては、本発明の趣旨を逸脱しない範囲において種々の変更を加えることが可能である。
【００４８】
例えば、前記実施形態ではレバープレート８０をレバー軸８２を中心として回動する構成としたが、アンダーロックプレートをロックするロック位置とそのロックを解除する解除位置との間で直線移動する（例えば、レバープレートを前後方向にスライド可能に支持し、図１０に示すようにアンダーロックプレートをロックした状態から、レバープレートを図中右方向に移動させることにより、ロックを解除する）構成としてもよい。
【００４９】
また、ベッドの側部にベースを設けて、アタッチメントをベッドの側部に着脱する構成としたが、ベッドに寝た患者の足の先に配置されるフットボード、又は頭の上に配置されるヘッドボードにベースを設けて、アタッチメントを着脱できるように構成してもよい。したがって、ベースはベッドの周縁部の一部に設けられる。
【符号の説明】
【００５０】
１０  医療台
１２  ベッド
２０  支持部
２１  ベース
２２  支持棒部
３０  アタッチメント
４０  機能部
４２  支持バー
４４  本体部
４６  クラッチ機構部
５０  ロック機構部
６０  保持部
６２  フレーム部材
６２ａ  トッププレート部
６２ｂ  狭持用サイドプレート部
６２ｃ  端部プレート
６２ｄ  下部
６４  押圧部材
６５  位置決め部材
６６  バネ部材
７０  アンダーロックプレート
７０ａ  押圧用サイドプレート部
７０ｂ  アンダープレート部
７０ｃ  内面
７２  ロック軸
８０  レバープレート
８０ａ  ストッパ部
８０ｂ  レバー部
８０ｃ  先端部
８２  レバー軸
８４  付勢部材
９０  回動規制部（変位規制部、突出壁）
Ｌ１  ロック軌跡円
Ｌ２  ストッパ軌跡円
Ｐ１，Ｐ２  交点
Ｐ３  接点
【図１】
0006621333.tif 000002
【図２】
0006621333.tif 000003
【図３】
0006621333.tif 000004
【図４】
0006621333.tif 000005
【図５】
0006621333.tif 000006
【図６】
0006621333.tif 000007
【図７】
0006621333.tif 000008
【図８】
0006621333.tif 000009
【図９】
0006621333.tif 000010
【図１０】
0006621333.tif 000011
【図１１】
0006621333.tif 000012
【図１２】
0006621333.tif 000013
【図１３】
0006621333.tif 000014
【図１４】
0006621333.tif 000015